(57)【要約】      （修正有）【課題】複数の異なる種類のＩＣカードリーダを内蔵することができるＩＣカードリーダ内蔵装置及び画像形成装置を提供する。【解決手段】複数種類のＩＣカードリーダのうちのいずれかを収容する本体１１０と、本体にスライド移動可能に装着されるカバー部材１２０と、本体に着脱可能に取り付けられ、複数種類のＩＣカードリーダのうち一種類のＩＣカードリーダを保持する第１の保持部と、一種類のＩＣカードリーダとは高さが異なる他の種類のＩＣカードリーダをスライド移動方向と交差する上方向に付勢しながら保持する第２の保持部と、を有する保持部材１３０と、を備えた。【選択図】図２
2018058309.tif 000002
【特許請求の範囲】
【請求項１】
複数種類のＩＣカードリーダのうちのいずれか一つを収容する本体と、
前記本体にスライド移動可能に装着されるカバー部材と、
前記本体に着脱可能に取り付けられ、複数種類の前記ＩＣカードリーダのうち一種類のＩＣカードリーダを保持する第１の保持部と、前記一種類のＩＣカードリーダとは高さが異なる他の種類のＩＣカードリーダを前記スライド移動方向と交差する上方向に付勢しながら保持する第２の保持部と、を有する保持部材と、を備えた、
ことを特徴とするＩＣカードリーダ内蔵装置。
【請求項２】
前記第２の保持部に、前記ＩＣカードリーダを前記スライド移動方向と交差する上方向に付勢する樹脂ばねを一体に設けた、
ことを特徴とする請求項１に記載のＩＣカードリーダ内蔵装置。
【請求項３】
前記保持部材は、前記本体に前記スライド移動方向と交差する方向に異なる取付け高さを選択して取り付けられる、
ことを特徴とする請求項１に記載のＩＣカードリーダ内蔵装置。
【請求項４】
前記本体は、前記カバー部材のスライド移動方向先端側の内面に形成された凸形状部に係合する弾性変形可能な係合爪と、前記カバー部材に設けられた係合片を受け入れて前記カバー部材のスライド移動方向におけるガタツキを抑制するように係合する楔形状の凸リブと、を有し、
前記カバー部材は、前記係合爪を弾性変形するように押圧する一段階目の操作で前記係合が解除された後に、前記係合片が前記楔形状の凸リブを乗り越えるようにスライドさせる二段階目の操作で前記本体から離脱される、
ことを特徴とする請求項１に記載のＩＣカードリーダ内蔵装置。
【請求項５】
請求項１ないし４のいずれか１項に記載のＩＣカードリーダ内臓装置の被取付け体を備えた、
ことを特徴とする画像形成装置。
【発明の詳細な説明】
【技術分野】
【０００１】
本発明は、ＩＣカードリーダ内蔵装置及び画像形成装置に関する。
【背景技術】
【０００２】
ＩＣカードリーダを収納するハウジング本体と、ハウジング本体に開閉可能に装着されるカバー部と、を有するハウジングと、ハウジング内に配置される取付ベースと、取付ベースの収納部に配置され、表面及び裏面にＩＣカードリーダの載置高さが異なる第１取付面と第２取付面とが形成された取付アタッチメントと、を備え、取付アタッチメントを表裏方向に反転させて収納部に配置することにより、第１取付面または第２取付面のいずれかを選択してＩＣカードリーダを取り付け可能としたＩＣカードリーダ取付部が知られている（特許文献１）。
【先行技術文献】
【特許文献】
【０００３】
【特許文献１】特開２０１２−２１０８０１号公報
【発明の概要】
【発明が解決しようとする課題】
【０００４】
本発明は、複数の異なる種類のＩＣカードリーダを内蔵することができるＩＣカードリーダ内蔵装置及び画像形成装置を提供することを目的とする。
【課題を解決するための手段】
【０００５】
前記課題を解決するために、請求項１に記載のＩＣカードリーダ内蔵装置は、
複数種類のＩＣカードリーダのうちのいずれか一つを収容する本体と、
前記本体にスライド移動可能に装着されるカバー部材と、
前記本体に着脱可能に取り付けられ、複数種類の前記ＩＣカードリーダのうち一種類のＩＣカードリーダを保持する第１の保持部と、前記一種類のＩＣカードリーダとは高さが異なる他の種類のＩＣカードリーダを前記スライド移動方向と交差する上方向に付勢しながら保持する第２の保持部と、を有する保持部材と、を備えた、
ことを特徴とする。
【０００６】
請求項２記載の発明は、請求項１に記載のＩＣカードリーダ内蔵装置において、
前記第２の保持部に、前記ＩＣカードリーダを前記スライド移動方向と交差する上方向に付勢する樹脂ばねを一体に設けた、
ことを特徴とする。
【０００７】
請求項３記載の発明は、請求項１に記載のＩＣカードリーダ内蔵装置において、
前記保持部材は、前記本体に前記スライド移動方向と交差する方向に異なる取付け高さを選択して取り付けられる、
ことを特徴とする。
【０００８】
請求項４記載の発明は、請求項１に記載のＩＣカードリーダ内蔵装置において、
前記本体は、前記カバー部材のスライド移動方向先端側の内面に形成された凸形状部に係合する弾性変形可能な係合爪と、前記カバー部材に設けられた係合片を受け入れて前記カバー部材のスライド移動方向におけるガタツキを抑制するように係合する楔形状の凸リブと、を有し、
前記カバー部材は、前記係合爪を弾性変形するように押圧する一段階目の操作で前記係合が解除された後に、前記係合片が前記楔形状の凸リブを乗り越えるようにスライドさせる二段階目の操作で前記本体から離脱される、
ことを特徴とする。
【０００９】
前記課題を解決するために、請求項８に記載の画像形成装置は、
請求項１ないし４のいずれか１項に記載のＩＣカードリーダ内臓装置の被取付け体を備えた、
ことを特徴とする。
【発明の効果】
【００１０】
請求項１に記載の発明によれば、高さが異なるＩＣカードリーダを同一の本体に内蔵することができる。
【００１１】
請求項２、３に記載の発明によれば、サイズの異なる複数種類のＩＣカードリーダの有効な検知距離を確保することができる。
【００１２】
請求項４に記載の発明によれば、使用者の誤操作によるカバー部材の取り外しを防止することができる。
【００１３】
請求項５に記載の発明によれば、使用者の要望に応じて多様なＩＣカードを利用することができる画像形成装置とすることができる。
【図面の簡単な説明】
【００１４】
【図１】本実施形態に係るＩＣカードリーダ内蔵装置を備えた画像形成装置の外観を示す斜視図である。
【図２】ＩＣカードリーダ内蔵装置の構成を示す分解斜視図である。
【図３】（ａ）は本体の斜視図、（ｂ）は本体の平面図、（ｃ）は本体の側面図である。
【図４】（ａ）、（ｂ）は本体の係合凸部及び凸リブとカバー部材の係合片との係合を示す部分断面模式図である。
【図５】（ａ）はカバー部材の斜視図、（ｂ）はカバー部材の平面図、（ｃ）はカバー部材の断面図である。
【図６】（ａ）は保持部材の斜視図、（ｂ）は保持部材の平面図、（ｃ）は保持部材の断面図である。
【図７】複数種類のＩＣカードリーダを収容したＩＣカードリーダ内蔵装置の断面模式図である。
【図８】ＵＳＢケーブルの保持を示す斜視図である。
【図９】（ａ）は変形例に係る保持部材の本体への取付け面側を示す斜視図、（ｂ）は変形例に係る保持部材の側面図、（ｃ）は変形例に係る本体の収容部を示す斜視図である。
【図１０】変形例に係る保持部材が取り付けられた本体の裏面側を示す斜視図である。
【図１１】面ファスナーが貼着された本体の裏面側を示す斜視図である。
【図１２】ＩＣカードリーダ内蔵装置のカバー部材の取り外しを説明する斜視図である。
【発明を実施するための形態】
【００１５】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１６】
（１）画像形成装置の全体構成
図１は本実施形態に係るＩＣカードリーダ内蔵装置１００を備えた画像形成装置１の外観を示す斜視図である。以下、図面を参照しながら、画像形成装置１の全体構成を説明する。
【００１７】
（１．１）全体構成
画像形成装置１は、電子写真方式によって画像を形成する画像形成部１０と、原稿等の読み取りを行う読取部２０と、ユーザーインターフェイスとしての操作表示部３０と、を有して構成されている。
【００１８】
画像形成部１０は、筐体Ｆ（不図示）が形成する内部空間に、用紙を給紙する給紙装置１１、用紙上にトナー像を形成する感光体ユニット、現像装置、転写装置、用紙上のトナー像を定着する定着装置が配置され、筐体Ｆ（不図示）は分割された複数の外装部材１２で覆われて構成されている。
画像形成部１０と読取部２０との間の胴内空間Ｓには、排紙トレイ部Ｔが形成され、定着装置で定着された用紙を積載する。
【００１９】
読取部２０は、原稿積載部２１と、自動原稿送り部２２と、画像読取部２３とを備えている。自動原稿送り部２２は、原稿積載部２１上に積載された原稿を上から順に取り出して一枚ずつ画像読取部２３に搬送する。画像読取部２３では、自動原稿送り部２２から搬送される原稿の画像を光学的に読み取って電気信号である画像データに変換される。
画像読取部２３で画像を読み取られた原稿は、原稿積載部２１の下方に形成された排紙部２４に排出される。
【００２０】
読取部２０の前面側には、ユーザーインターフェイスとしての操作表示部３０が配置されている。操作表示部３０は、液晶表示パネル、各種操作ボタン、タッチパネル等を組み合わせて構成され、画像形成装置１の使用者は、操作表示部３０を介して各種の設定や指示の入力を行う。また、液晶表示パネルを介して画像形成装置１の使用者へ各種情報を表示する。
【００２１】
操作表示部３０の側方には、ＩＣカードリーダ内蔵装置１００が配置されている。ＩＣカードリーダ内蔵装置１００は、内部にＩＣカードリーダを保持し、ＩＣカードリーダは、使用者が所持する非接触型ＩＣカードと通信し、使用者の識別子であるカードＩＤや、認証キーである認証パターンを読み取り、予め登録されている使用者の認証を行う。
【００２２】
（２）ＩＣカードリーダ内蔵装置
図２はＩＣカードリーダ内蔵装置の構成を示す分解斜視図、図３（ａ）は本体１１０の斜視図、（ｂ）は本体１１０の平面図、（ｃ）は本体１１０の側面図、図４（ａ）、（ｂ）は本体１１０の係合凸部１１４、凸リブ１１５とカバー部材１２０の係合片１２３との係合を示す部分断面模式図、図５（ａ）はカバー部材１２０の斜視図、（ｂ）はカバー部材１２０の平面図、（ｃ）はカバー部材１２０の断面図、図６（ａ）は保持部材１３０の斜視図、（ｂ）は保持部材１３０の平面図、（ｃ）は保持部材１３０の断面図、図７は複数種類のＩＣカードリーダ２００を収容したＩＣカードリーダ内蔵装置１００の断面模式図、図８はＵＳＢケーブルの保持を示す斜視図である。
以下、図面を参照しながらＩＣカードリーダ内蔵装置１００の構成と動作について説明する。
【００２３】
（２．１）ＩＣカードリーダ内蔵装置の全体構成
図２に示すように、ＩＣカードリーダ内蔵装置１００は、ＩＣカードリーダ２００（図７参照）を収容し画像形成装置１に設けられた被取付け体の一例としての取付台４０に取り付けられる本体１１０と、本体１１０にスライド移動可能に装着されるカバー部材１２０と、本体１１０に着脱可能に取り付けられ、ＩＣカードリーダ２００を保持する保持部材１３０とで構成されている。
【００２４】
ＩＣカードリーダ内蔵装置１００は、本体１１０内にＩＣカードリーダ２００を収容した状態で、カバー部材１２０を本体１１０にスライド移動させて係合させ、ＩＣカードリーダ２００がカバー部材１２０の上面１２１にかざされたＩＣカードに近接するように構成されている。
保持部材１３０は、複数種類のＩＣカードリーダ２００のうち高さが異なる一種類のＩＣカードリーダを保持する（図７参照）ように、ＩＣカードリーダ２００の種類に応じて本体１１０に選択的に取り付けられる。
【００２５】
（２．２）本体
図３に示すように、本体１１０には、ＩＣカードリーダ２００（図７参照）を収納する収容部１１１が形成されている。収容部１１１は底面１１１ａと四つの側面１１１ｂに囲まれた略矩形箱状で、上方は開口になっている。収容部１１１には、複数種類のＩＣカードリーダ２００のうち高さが最も高いＩＣカードリーダ２００Ａ（図７（ａ）参照）が収容される。
また、収容部１１１には、複数種類のＩＣカードリーダ２００のうち高さが異なる一種類のＩＣカードリーダを保持する保持部材１３０が取り付けられるように、取付け孔１１１ｃ、１１１ｄが設けられている。
【００２６】
本体１１０の奥端部の両側部１１２には弾性変形可能（図中  矢印Ｒ参照）な係合爪１１３が設けられている。係合爪１１３は、後述するカバー部材１２０のスライド移動方向先端側の内面に形成された凸形状部１２４（図５参照）に係合して本体１１０にカバー部材１２０が装着される。
【００２７】
本体１１０の四隅には、側面１１１ｂから突出して形成された係合凸部１１４が設けられている。係合凸部１１４は、傾斜面１１４ａと、カバー部材１２０のスライド移動方向に沿う平坦面１１４ｂを有し、カバー部材１２０がスライド移動する際に、カバー部材１２０に形成された係合片１２３（図４参照）を傾斜面１１４ａで案内しながら受け入れて、平坦面１１４ｂでスライド移動方向と交差する上下方向のガタツキを抑制している。
【００２８】
図４に示すように、係合凸部１１４の下方側で、カバー部材１２０のスライド移動方向における手前側には、楔形状の凸リブ１１５が形成されている。
凸リブ１１５は、カバー部材１２０のスライド移動方向と交差する上下方向に０．２〜０．６ｍｍ突出（図４中  ｈ参照）して形成され、カバー部材１２０がスライド移動（図４（ａ）中  矢印参照）して本体１１０に装着される際に、カバー部材１２０の係合片１２３の角部１２３ａが凸リブ１１５に乗り上げた状態（図４（ｂ）参照）で接触してカバー部材１２０のスライド移動方向のガタツキを抑制している。
【００２９】
本体１１０の奥端部の立壁１１６には、内面側に突出して係合リブ１１７が形成されている。係合リブ１１７は、後述するカバー部材１２０の孔部１２５を受け入れて装着されるカバー部材１２０の上下方向を位置決めする。
立壁１１６には、凹状の切欠き部１１８が形成されている。切欠き部１１８には、ＩＣカードリーダ２００と画像形成装置１とを接続するＵＳＢケーブル２１０が挿通されて、ＵＳＢケーブル２１０に引き抜き力が作用した場合の抜け止めを構成している（図７（ｃ）、（ｄ）、図８参照）。
【００３０】
（２．３）カバー部材
カバー部材１２０は、図５に示すように、一端が開口した箱状部材であり、本体１１０の上方に開口する収容部１１１を覆うように本体１１０に取り付けられる。上面１２１の中央部には全体が僅かに窪んだ凹部１２１ａが形成され、使用者がＩＣカードをかざす際の目印となる。
【００３１】
カバー部材１２０の開口した一端側には、スライド移動方向に貫通する孔部１２５が設けられている。孔部１２５は、カバー部材１２０を本体１１０にスライド移動して装着する際に、本体１１０の奥端側の立壁１１６に形成された係合リブ１１７（図３参照）に係合して、スライド移動方向と交差する上下方向が位置決めされる。
【００３２】
カバー部材１２０の側壁１２２の下端には、スライド移動方向と交差する内側に突出する係合片１２３が形成されている。係合片１２３は、スライド移動した際に厚み方向が係合凸部１１４の平坦面１１４ｂで挟み込まれて、カバー部材１２０のスライド移動方向と交差する上下方向が位置決めされる。
【００３３】
（２．４）保持部材
保持部材１３０は、図６に示すように、複数種類のＩＣカードリーダ２００のうち一種類のＩＣカードリーダ２００Ｂ（図７（ｂ）参照）を保持する第１の保持部１３１と、一種類のＩＣカードリーダ２００Ｂとは高さが異なる他の種類のＩＣカードリーダ２００Ｃ、２００Ｄ（図７（ｃ）、（ｄ）参照）を保持する第２の保持部１３２とを有する。
【００３４】
第１の保持部１３１は、保持部材１３０が本体１１０に取り付けられた状態でＩＣカードリーダ２００Ｂ（図７（ｂ）参照）を保持するとＩＣカードリーダ２００Ｂの検知面がカバー部材１２０の上面１２１と近接する高さに形成されている（図７（ｂ）参照）。
【００３５】
第２の保持部１３２には、ＩＣカードリーダ２００をスライド移動方向と交差する上方向に付勢する樹脂ばね１３３が一体に設けられている。
樹脂ばね１３３は、第２の保持部１３２の上面１３２ａから上方に約１．８ｍｍ〜２．２ｍｍ突出する（図６（ｃ）Ｈ参照）載置部１３３ａを有し、第２の保持部１３２に載置されたＩＣカードリーダ２００Ｃ、２００Ｄを載置部１３３ａで上方に付勢するように支持する。
【００３６】
樹脂ばね１３３で上方に付勢されて載置されたＩＣカードリーダ２００Ｃ、２００Ｄは、カバー部材１２０が本体１１０に対してスライド移動して装着される際に、ＩＣカードリーダ２００Ｃ、２００Ｄの検知面がカバー部材１２０の上面１２１に密着する。
これにより、複数種類のＩＣカードリーダ２００のうち、高さが低いＩＣカードリーダ２００Ｃ、２００Ｄを収容してＩＣカードの検知を行うことができる。また、ＩＣカードリーダ２００Ｃ、２００Ｄの僅かに異なる高さを載置部１３３ａの突出高さの範囲で弾性変形することにより吸収することができる。
【００３７】
「変形例」
図９（ａ）は変形例に係る保持部材１３０Ａの本体１１０Ａへの取付け面側を示す斜視図、（ｂ）は変形例に係る保持部材１３０Ａの側面図、（ｃ）は変形例に係る本体１１０Ａの収容部１１１を示す斜視図、図１０は変形例に係る保持部材１３０Ａが取り付けられた本体１１０Ａの裏面側を示す斜視図である。
【００３８】
変形例に係る保持部材１３０Ａは、高さの異なる複数の位置決めリブ１３５Ａ、１３５Ｂ、１３５が形成されている。変形例に係る本体１１０Ａの収容部１１１の底面１１１ａには保持部材１３０Ａの位置決めリブ１３５Ａ、１３５Ｂ、１３５に対応して、取付け孔１１１ｃ、１１１ｄ、１１１ｅ、１１１ｆが設けられている。
【００３９】
このように構成される本体１１０Ａの取付け孔１１１ｃ、１１１ｄ、１１１ｅ、１１１ｆに保持部材１３０Ａの高さの異なる複数の位置決めリブ１３５Ａ（高さｈ１  図９（ｂ）参照）１３５Ｂ（高さｈ２  図９（ｂ）参照）をスライドさせて取り付けることで、保持部材１３０Ａの第１の保持部１３１、第２の保持部１３２の本体１１０Ａの底面１１１ａに対する高さを変更することができる。これにより、高さの異なる複数種類のＩＣカードリーダ２００を選択して収容することができる。
【００４０】
具体的には、本体１１０Ａの取付け孔１１１ｃ、１１１ｄに保持部材１３０Ａの位置決めリブ１３５が嵌った状態を第一の状態とすると、第一の状態では保持部材１３０Ａの高さの異なる複数の位置決めリブ１３５Ａ（高さｈ１）１３５Ｂ（高さｈ２）はそれぞれ本体１１０Ａの取付け孔１１１ｅ、１１１ｆに嵌った状態になる。
第一の状態から保持部材１３０Ａの位置決めリブ１３５を本体１１０Ａの取付け孔１１１ｃ、１１１ｄから外して保持部材１３０Ａを図１０の矢印方向にスライド移動させると、保持部材１３０Ａの位置決めリブ１３５Ｂ（高さｈ２）が本体１１０Ａの取付け孔１１１ｆから外れて、保持部材１３０Ａは第一の状態から高さｈ２だけ持ち上がった第二の状態になる。
さらにその状態から保持部材１３０Ａを図１０の矢印方向にスライド移動させると、保持部材１３０Ａの位置決めリブ１３５Ａ（高さｈ１）が本体１１０Ａの取付け孔１１１ｅから外れて、保持部材１３０Ａは第一の状態からｈ２より高い高さｈ１だけ持ち上がった第三の状態になる。
【００４１】
（２．５）画像形成装置への取付け
図１１は面ファスナー１４０が貼着された本体１１０の裏面側を示す斜視図である。
ＩＣカードリーダ内蔵装置１００の画像形成装置１への取付け面となる本体１１０の裏面側には、一方がフック状の部材が密集したフック面を有し、他方がフック状の部材と係合可能なリング状の部材が密集したリング面を有する一対の面ファスナー１４０のフック面又はリング面の一方が周囲をリブ１１９で覆われて貼着されている。
【００４２】
画像形成装置１に設けられた取付台４０には面ファスナー１４０の他方が貼着され、ＩＣカードリーダ内蔵装置１００は、一対の面ファスナー１４０（図１１において網点で図示）を介して取り付けられる。
ＩＣカードリーダ内蔵装置１００は、面ファスナー１４０のフック面とリング面が互い係合することによって固定されるが、面ファスナー１４０はその周囲をリブ１１９で覆われているために外部からは不可視となり、画像形成装置１の意匠的な美観を有している。
【００４３】
（２．６）ＩＣカードリーダの交換
図１２はＩＣカードリーダ内蔵装置１００のカバー部材１２０の取り外しを説明する斜視図である。尚、図１２（ｂ）においては、カバー部材１２０を透過状態で示している。
【００４４】
ＩＣカードリーダ内蔵装置１００内に収容されたＩＣカードリーダ２００を交換する場合には、図１２に示すように、一段階目の操作として、本体１１０の奥端部の両側部１１２を押圧する（図１２中  矢印Ｒ１参照）。これにより、本体１１０の係合爪１１３とカバー部材１２０の凸形状部１２４との係合が解除され、カバー部材１２０は本体１１０に対してスライド移動可能になる。
【００４５】
次に、カバー部材１２０を、本体１１０の係合片１２３が楔形状の凸リブ１１５を乗り越えるようにスライドさせる二段階目の操作（図１２中  矢印Ｒ２参照）で本体１１０から離脱される状態になり、カバー部材１２０を上方向に持ち上げて（図１２中  矢印Ｒ３参照）本体１１０に収容されたＩＣカードリーダ２００を露出させる。
このように、カバー部材１２０の取り外しは、二段階操作で行われ、使用者の誤操作によるカバー部材１２０の取り外しを防止することができる。
【符号の説明】
【００４６】
１・・・画像形成装置
１０・・・画像形成部
２０・・・読取部
３０・・・操作表示部
４０・・・取付台
１００・・・ＩＣカードリーダ内蔵装置
１１０、１１０Ａ・・・本体
１２０・・・カバー部材
１３０、１３０Ａ・・保持部材
２００、２００Ａ、２００Ｂ、２００Ｃ、２００Ｄ・・・ＩＣカードリーダ
【図１】
2018058309.tif 000003
【図２】
2018058309.tif 000004
【図３】
2018058309.tif 000005
【図４】
2018058309.tif 000006
【図５】
2018058309.tif 000007
【図６】
2018058309.tif 000008
【図７】
2018058309.tif 000009
【図８】
2018058309.tif 000010
【図９】
2018058309.tif 000011
【図１０】
2018058309.tif 000012
【図１１】
2018058309.tif 000013
【図１２】
2018058309.tif 000014